(57)【要約】  プーリー、ギヤー付モーター、軸の端部を支持するベアリング、荷台にモーターを固定するボルト、荷台にベアリングを固定するボルト、ベアリングのボルト、荷台にレールを固定するボルト、リール装置、スチールワイヤー、スチールワイヤーの管状ガイド、仕上げ及びトランスミッションシステム保護用蓋、ロール、レール、布、L型金具、プラスチック又は木製の保護キャップ、荷台の切断部、ロール、横木、キー、に六角形ボルトで固定されたL型蝶番、L型金具の切断部、荷台カバーシートの横木、キーシステムなしレール、キー付レール、モーター停止用キー、センターまでの二重配線、リモートコントロール又は手動ボタンによる操作、いずれも軽トラックのキャビン内殻操作からなる軽トラック荷台カバーシートのリモートコントロールによる自動開閉装置。
2007524537.tif 000002
【特許請求の範囲】
【請求項１】
プーリー（1）、ギヤー付モーター（2）、軸の端部を支持するベアリング（3）、荷台にモーターを固定するボルト（4）、荷台にベアリングを固定するボルト（5）、ベアリングのボルト（6）、荷台にレールを固定するボルト（7）、リール装置（8）、スチールワイヤー（9）、スチールワイヤーの管状ガイド（10）、雨水を防ぐための仕上げ及びトランスミッションシステム保護用蓋（11）、ロール（12）、レール（13）、布（14）、L型金具（15）、望ましくはプラスチック又は木製の保護キャップ（16）、荷台の切断部（17）、ロール（18）、横木（19）、キー（20）、六角形ボルトで固定されたL型蝶番（21）、L型金具の切断部（22）、荷台カバーシートの横木（23）、キーシステムなしレール（24）、キー付レール（25）、モーター停止用キー（26）及びセンターまでの二重配線（27）を備え、リモートコントロール又は手動ボタンによる操作であっていずれも軽トラックのキャビン内殻操作を特徴とする軽トラック荷台カバーシートのリモートコントロールによる自動開閉装置。
【発明の詳細な説明】
【技術分野】
【０００１】
本発明は、軽トラック荷台カバーシートのリモートコントロールによる自動開閉装置に関するものである。
「軽トラック用カバーシート制御装置」より便利性と技術上の簡易性を提供するために開発されたこの「軽トラック荷台カバーシートのリモートコントロールによる自動開閉装置」は一連の作業を一段と容易かつ迅速に処理できるように様々な仕様を備えている。
【背景技術】
【０００２】
従来の技術において、軽トラック等の荷崩れ防止及び被覆を行うためにいろいろな装置が提案されているが、本発明のように簡易性かつ作業性に優れたものはない。
【発明の開示】
【発明が解決しようとする課題】
【０００３】
本発明は、簡易性かつ作業性に優れた、「軽トラック荷台カバーシートのリモートコントロールによる自動開閉装置」を提供することを目的とするものであり、リールとロールからなる装置により、管状のガイドに沿って、上に被せられているカバーシートが、それについているロールがレールを走ることによって案内され、モーター停止用キーに到達する。補足図面を見ると「軽トラック荷台カバーシートのリモートコントロールによる自動開閉装置」の概観がはっきりわかる。
【課題を解決するための手段】
【０００４】
本発明に係る軽トラック荷台カバーシートのリモートコントロールによる自動開閉装置は特許請求範囲に記載されている。
本発明、その操作上の利点及びその使用によって達成される目的をより詳しく理解してもらうために、別添各図及び明細書においてその好ましい実施例を図示及び記述する。
【発明の効果】
【０００５】
本発明は、「軽トラック荷台カバーシートのリモートコントロールによる自動開閉装置」を、リールとロールからなる装置により、管状のガイドに沿って、上に被せられているカバーシートが、それについているロールがレールを走ることによって案内され、モーター停止用キーに到達するので、軽トラック荷台カバーシートのリモートコントロールによる自動開閉装置が簡易性かつ作業性に優れたものとなる。
【０００６】
以下に本発明をより詳しく理解してもらうために、別添各図及び明細書においてその好ましい実施例を図示及び記述する。
【実施例１】
【０００７】
以下に本発明の実施例を図１〜図１１の図面に基づいて説明する。
図１は「軽トラック荷台カバーシートのリモートコントロールによる自動開閉装置」の、カバーシートが広げられ、軽トラックの荷台に取り付けられた状態を示す斜視図である。
図２は「軽トラック荷台カバーシートのリモートコントロールによる自動開閉装置」のカバーシートが広げられてなく、同装置の他の部材のみが見える斜視図である。
図３は「軽トラック荷台カバーシートのリモートコントロールによる自動開閉装置」のカバーシートが収縮された状態を示す斜視図である。
図４は「軽トラック荷台カバーシートのリモートコントロールによる自動開閉装置」の、カバーシートなしで収縮された状態の各構成要素を示す斜視図である。
【０００８】
図５は「軽トラック荷台カバーシートのリモートコントロールによる自動開閉装置」のカバーシートを取り除き、収縮された状態で各ボルトを抜き出した斜視図である。
図６は「軽トラック荷台カバーシートのリモートコントロールによる自動開閉装置」のカバーシートを取り除き、プーリー１、ギヤー付モーター２、軸の端部を支持するベアリング３、荷台にモーターを固定するボルト４、荷台にベアリングを固定するボルト５、ベアリングのボルト６、そして荷台にレールを固定するボルト７を示す斜視図である。
図７は「軽トラック荷台カバーシートのリモートコントロールによる自動開閉装置」の、プーリー１、ギヤー付モーター２、軸の端部を支持するベアリング３、リール装置８、スチールワイヤー９、スチールワイヤーの管状ガイド１０、雨水を防ぐための仕上げ及びトランスミッションシステム保護用蓋１１、ロール１２、レール１３、布１４、Ｌ型金具１５、プラスチック又は木製の保護キャップ１６（任意）、荷台７Ａの切断部１７、ロール１８、横木１９、キー２０、７Ｂに六角形ボルトで固定されたＬ型蝶番２１、モーター停止用キーの詳細図を示す切断部側面図である。
【０００９】
図８は「軽トラック荷台カバーシートのリモートコントロールによる自動開閉装置」の、荷台８．１の正面図、左側面図８．２、右側面図８．３、背面図８．４、シート８．５を除いた平面図、底面図８．６である。
図９は荷台を除いた「軽トラック荷台カバーシートのリモートコントロールによる自動開閉装置」の、正面図９．１、右側面図９．２、左側面図９．３、平面図９．４、底面図９．５である。
図１０は、「軽トラック荷台カバーシートのリモートコントロールによる自動開閉装置」の細部を示す図であって、ロール１２、レールの切断部１３、荷台のカバーはすべてのバーを被覆する布の切断部１４、センターまでの二重固定１９、ロールが通過してモーターを停止すると下がるピン２０、Ｌ型金具の切断部２２、荷台のカバーシートの横木２３を示す。
図１１はレールの両端における「軽トラック荷台カバーシートのリモートコントロールによる自動開閉装置」の二つの斜視図であって、１１Ａにキーシステムのないレール２４及びモーター停止用キー２６、センターまでの二重配線２７（リモートコントロール又は手動ボタンによる操作、いずれも軽トラックのキャビン内殻操作）付の１１Ｂにキーシステム付のレール２５を示す。
【００１０】
本発明の原理の応用を説明するために実施例を示し、詳細に説明したが、本発明は、これらの原理からそれることなく別の方法で実施することもでき、同装置の全機能や技術的実行に差別的優位性を含むことも可能である。
各請求項における符号は請求を理解しやすくするためにつけられたものである。これらの符号は決して限定的なものと解釈すべきではない。
【産業上の利用可能性】
【００１１】
以上の説明から明らかな通り、本発明の構成によれば、「軽トラック荷台カバーシートのリモートコントロールによる自動開閉装置」は、リールとロールからなる装置により、管状のガイドに沿って、上に被せられているカバーシートが、それについているロールがレールを走ることによって案内され、モーター停止用キーに到達することができるので、本発明を特徴付ける、その操作上の利点及びその使用によって達成される原理からそれることなく別の方法で実施することもでき、同装置の全機能や技術的実行に差別的優位性を含むことも可能である。
【図面の簡単な説明】
【００１２】
【図１】本発明に係る軽トラック荷台カバーシートのリモートコントロールによる自動開閉装置のカバーシートが広げられ、軽トラックの荷台に取り付けられた状態を示す斜視図。
【図２】本発明に係る軽トラック荷台カバーシートのリモートコントロールによる自動開閉装置のカバーシートが広げられてなく、同装置の他の部材のみが見える斜視図。
【図３】本発明に係る軽トラック荷台カバーシートのリモートコントロールによる自動開閉装置のカバーシートが収縮された状態を示す斜視図。
【図４】本発明に係る軽トラック荷台カバーシートのリモートコントロールによる自動開閉装置の、カバーシートなしで収縮された状態の各構成要素を示す斜視図。
【図５】本発明に係る軽トラック荷台カバーシートのリモートコントロールによる自動開閉装置のカバーシートを取り除き、収縮された状態で各ボルトを抜き出した斜視図。
【図６】本発明に係る軽トラック荷台カバーシートのリモートコントロールによる自動開閉装置のカバーシートを取り除き、プーリー、ギヤー付モーター、軸の端部を支持するベアリング、荷台にモーターを固定するボルト、荷台にベアリングを固定するボルト、ベアリングのボルト、荷台にレールを固定するボルトを示す斜視図。
【図７】本発明に係る軽トラック荷台カバーシートのリモートコントロールによる自動開閉装置の、プーリー、ギヤー付モーター、軸の端部を支持するベアリング、リール装置、スチールワイヤー、スチールワイヤーの管状ガイド、仕上げ及びトランスミッションシステム保護用蓋、ロール、レール、布、Ｌ型金具、プラスチック又は木製の保護キャップ、荷台の切断部、ロール、横木、キー、六角形ボルトで固定されたＬ型蝶番、モーター停止用キーの詳細図を示す切断部側面図。
【図８】本発明に係る軽トラック荷台カバーシートのリモートコントロールによる自動開閉装置の荷台を示すその正面図、左側面図、右側面図、背面図、シートを除いた平面図及び底面図。
【図９】本発明に係る荷台を除いた軽トラック荷台カバーシートのリモートコントロールによる自動開閉装置を示すその正面図、右側面図、左側面図、平面図及び底面図。
【図１０】本発明に係る軽トラック荷台カバーシートのリモートコントロールによる自動開閉装置の細部を示す断面図。
【図１１】本発明に係る軽トラック荷台カバーシートのリモートコントロールによる自動開閉装置の細部を示す斜視図。
【符号の説明】
【００１３】
１  プーリー
２  ギヤー付モーター
３  軸の端部を支持するベアリング
４  荷台にモーターを固定するボルト
５  荷台にベアリングを固定するボルト
６  ベアリングのボルト
７  荷台にレールを固定するボルト
８  リール装置
９  スチールワイヤー
１０  スチールワイヤーの管状ガイド
１１  仕上げ及びトランスミッションシステム保護用蓋
１２  ロール
１３  レール
１４  布
１５  Ｌ型金具
１６  プラスチック又は木製の保護キャップ
１７  荷台の切断部
１８  ロール
１９  横木
２０  キー
２１  六角形ボルトで固定されたＬ型蝶番
２２  Ｌ型金具の切断部
２３  荷台のカバーシートの横木
２４  キーシステムのないレール
２６  モーター停止用キー
２７  センターまでの二重配線
【図１】
2007524537.tif 000003
【図２】
2007524537.tif 000004
【図３】
2007524537.tif 000005
【図４】
2007524537.tif 000006
【図５】
2007524537.tif 000007
【図６】
2007524537.tif 000008
【図７】
2007524537.tif 000009
【図８】
2007524537.tif 000010
【図９】
2007524537.tif 000011
【図１０】
2007524537.tif 000012
【図１１】
2007524537.tif 000013